(57)【要約】【課題】ＬＮＧ船タンクなどの液化ガス供給源から受入管を介して貯蔵タンクへ液化ガスを定期的に受入する場合であって、この液化ガスの受入が長期にわたって停止している期間において、受入管を冷却保持する場合に、無駄なＢＯＧの発生を無くし、受入管を冷却保持するための動力を大幅に低減することができる液化ガス受入管の冷却保持方法及び装置を提供する。【解決手段】液化ガス供給源から貯蔵タンク２へ液化ガスを受入する受入管５の冷却保持方法であって、液化ガス供給源から貯蔵タンク２への液化ガス受入が停止する期間において、受入管５に残っている液化ガスを抜き取る第１のステップと、貯蔵タンク２への入熱によって液化ガスから発生した気化ガスを、受入管５へ供給することで、受入管５を冷却保持する第２のステップと、を行う。【選択図】図１
2007298052.tif 000002
【特許請求の範囲】
【請求項１】
液化ガス供給源から貯蔵タンクへ液化ガスを受入する受入管の冷却保持方法であって、
液化ガス供給源から貯蔵タンクへの液化ガス受入が停止する期間において、
前記受入管に残っている液化ガスを抜き取る第１のステップと、
貯蔵タンクへの入熱によって液化ガスから発生した気化ガスを、受入管へ供給することで、受入管を冷却保持する第２のステップと、
を行う、ことを特徴とする液化ガス受入管の冷却保持方法。
【請求項２】
前記第２のステップにおいて、受入管へ供給し受入管を冷却保持した前記気化ガスを、受入管に連通したガス取出管によって、気化ガスの需要箇所へ導く、ことを特徴とする請求項１に記載の液化ガス受入管の冷却保持方法。
【請求項３】
前記受入管は、前記貯蔵タンクの気体部分に連通しており、
前記ガス取出管は、
前記受入管に連通するガス抜き管と、
このガス抜き管と貯蔵タンクの気体部分とに連通し、さらに、前記液化ガス供給源から貯蔵タンクへ液化ガスを受入している時には、受入管又は貯蔵タンク内の気化ガスを液化ガス供給源へ戻す戻りガス管と、
この戻りガス管に連通し、気化ガスをその需要箇所へ導くＢＯＧ管と、
からなっており、
受入管を冷却保持する前記ステップにおいて、気化ガスを、貯蔵タンクから、受入管、ガス抜き管、戻りガス管、ＢＯＧ管の順で流す、ことを特徴とする請求項２に記載の液化ガス受入管の冷却保持方法。
【請求項４】
液化ガス供給源から貯蔵タンクへ液化ガスを受入する液化ガス受入管の冷却保持装置であって、
液化ガス供給源から液化ガスを受け入れる受入管と、
この受入管を通して液化ガスが液化ガス供給源から受入され、液化ガスを蓄える貯蔵タンクと、
前記受入管から液化ガスを抜き取る液抜き装置と、を備え、
液化ガス供給源から貯蔵タンクへの液化ガス受入が行われない期間において、貯蔵タンクへの入熱によって液化ガスから発生した気化ガスを、受入管へ供給できるように、前記受入管は、前記貯蔵タンクの気体部分に連通している、ことを特徴とする液化ガス受入管の冷却保持装置。
【請求項５】
前記受入管に連通するガス抜き管と、
このガス抜き管と貯蔵タンクの気体部分とに連通し、さらに、前記液化ガス供給源から貯蔵タンクへ液化ガスを受入している時には、受入管又は貯蔵タンク内の気化ガスを液化ガス供給源へ戻す戻りガス管と、
この戻りガス管に連通し、気化ガスを前記需要箇所へ導くＢＯＧ管を備える、ことを特徴とする請求項４に記載の液化ガス受入管の冷却保持装置。
【発明の詳細な説明】
【技術分野】
【０００１】
本発明は、ＬＮＧ船タンクなどの液化ガス供給源から貯蔵タンクへ液化ガスを供給する液化ガス受入管の冷却保持方法および装置に関する。
【背景技術】
【０００２】
天然ガスは、ＬＮＧ（Ｌｉｑｕｉｄ  Ｎａｔｕｒａｌ  Ｇａｓ）液化設備において、液化される。この液化されたＬＮＧは、例えばＬＮＧ船により各地に輸送され、輸送先のＬＮＧ受入基地において、接岸したＬＮＧ船のタンクから地上側の貯蔵タンクへＬＮＧを送り込まれる。
【０００３】
図３は、接岸したＬＮＧ船から地上側の貯蔵タンク４１へＬＮＧを送り込むＬＮＧ受入基地の概略構造を示している。
ＬＮＧ船タンクにローディングアーム４３が接続されると、ＬＮＧ船タンク内のカーゴポンプにより、ＬＮＧがローディングアーム４３と受入管４５を通して貯蔵タンク４１へ送り込まれる。
【０００４】
ＬＮＧ船タンクから貯蔵タンク４１へＬＮＧを供給すると、ＬＮＧ船タンク内の圧力が低下するので、貯蔵タンク内のＢＯＧ（Ｂｏｉｌ  Ｏｆｆ  Ｇａｓ）をＬＮＧ船タンク内へ戻すことを行っている。
そのための構成として、戻りガス管４７と、戻りガス管４７に設けられた戻りガスブロア４９と、が備えられる。
戻りガス管４７は、その一端が戻りガスアーム５１に接続され、その他端が貯蔵タンク４１の頂部に接続され貯蔵タンク４１内部へ連通している。
貯蔵タンク４１への入熱により発生したＢＯＧを、戻りガスブロア４９を運転することで、戻りガス管４７および戻りガスアーム５１を通して、ＬＮＧ船タンク内へ送り返す。このようにして、ＬＮＧ船タンク内の圧力が一定となるように保持している。
【０００５】
上述のようなＬＮＧ受入基地において、通常、ＬＮＧ船タンクから貯蔵タンク４１へＬＮＧを定期的に受入する。この受入間隔は、例えば、数日である。
受入管４５にＬＮＧが送り込まれている時は、ＬＮＧの蒸発温度が常圧で約−１６２℃であるため、受入管４５はこの温度まで冷却されている。
一方、ＬＮＧ船タンクから貯蔵タンク４１へＬＮＧを受入しない期間においては、受入管４５を放置すると、受入管４５の温度が常温付近まで上昇してしまう。常温の配管に低温（−１６０℃）のＬＮＧをいきなり受入することはできないため、ＬＮＧの受入を再開する時に、事前に配管をクールダウンする必要がある。
【０００６】
受入間隔の短い基地において、受入の都度クールダウンを行うのは操作が煩雑であり手間がかかるため、従来において、ＬＮＧを受入しない期間において、受入管４５を常時冷却保持することが行われている。この受入管４５の冷却保持のために、例えば、強制循環冷却方式、加圧注入冷却保持方式が採用されている。
【０００７】
強制循環冷却方式では、図４に示すように、受入管４５に連通する循環用配管５３を設けて、循環用配管５３に設けたポンプ５５により、貯蔵タンク４１、循環用配管５３、受入管４５、貯蔵タンク４１の順で、ＬＮＧを循環させる。このように循環するＬＮＧにより受入管４５を冷却保持している。
【０００８】
加圧注入冷却保持方式では、図５に示すように、受入管４５の水平部分において、ＬＮＧの受入れ終了後、開閉弁５６を閉じて、受入管４５内の液面を中央レベル付近となるように受入管４５のＬＮＧを液回収ドラム５７に回収する。即ち、受入管４５内の液面を中央レベル付近に維持することで、液面を大きくし、ＬＮＧが蒸発しやすい状況を作って、常に配管内ＬＮＧ液があることにより受入管４５を低温に保持する。
この冷却保持中に、受入管４５内で発生した気化ガスは、ガス抜き管４４と戻りガス管４７を通して貯蔵タンク４１に戻し、蒸発した分のＬＮＧは、払い出しポンプ５９から供給される。
【０００９】
このような強制循環冷却方式、加圧注入冷却保持方式などは、例えば、下記特許文献１、２の［従来の技術］に記載されている。
【特許文献１】特開２００１−２００９９６号公報  「液化ガスの受入管冷却保持装置」
【特許文献２】実開平６−３２９００号公報  「ＬＮＧ受入配管の加圧冷却装置」
【発明の開示】
【発明が解決しようとする課題】
【００１０】
しかし、最近では、ＬＮＧ船タンクから貯蔵タンクへＬＮＧを受入する間隔が、１ヶ月のように長期間となる受入基地がある。
このような受入基地においては、上述した強制循環冷却方式、加圧注入冷却保持方式を採用した場合、多量のＢＯＧが発生したり、ＬＮＧを循環させる動力を無駄に消費してしまうという問題がある。
また、特許文献１、２に開示されている技術は、この問題を解決するためのものではない。
【００１１】
そこで、本発明の目的は、ＬＮＧ船タンクなどの液化ガス供給源から受入管を介して貯蔵タンクへ液化ガスを定期的に受入する場合であって、この液化ガスの受入が長期にわたって停止している期間において、受入管を冷却保持する場合に、無駄なＢＯＧの発生を無くし、受入管を冷却保持するための動力を大幅に低減することができる液化ガス受入管の冷却保持方法及び装置を提供することにある。
【課題を解決するための手段】
【００１２】
ＬＮＧなどの液化ガスの貯蔵タンクには、外部からの入熱により、貯蔵タンク内の液化ガスは常に沸騰状態にあり、貯蔵タンク内には、常に、気化ガスが発生することになる。
本発明は、このように貯蔵タンク内で発生する気化ガスを用いて、受入管の冷却保持を行うものである。
【００１３】
即ち、本発明によると、上記目的を達成するため、液化ガス供給源から貯蔵タンクへ液化ガスを受入する受入管の冷却保持方法であって、液化ガス供給源から貯蔵タンクへの液化ガス受入が停止する期間において、前記受入管に残っている液化ガスを抜き取る第１のステップと、貯蔵タンクへの入熱によって液化ガスから発生した気化ガスを、受入管へ供給することで、受入管を冷却保持する第２のステップと、を行う、ことを特徴とする液化ガス受入管の冷却保持方法が提供される。
【００１４】
上記方法では、液化ガス供給源から貯蔵タンクへの液化ガス受入が停止する期間において、受入管に残っている液化ガスを抜き取り、その後、貯蔵タンクへの入熱によって液化ガスから発生した気化ガスを、受入管へ供給することで、受入管を冷却保持する。
このように、貯蔵タンクへの入熱で自然に発生する気化ガスを受入管へ供給して受入管を冷却保持するので、受入管の冷却保持において無駄な気化ガスの発生を無くすことができる。
また、貯蔵タンクから受入管への気化ガスの供給は、貯蔵タンク内で液化ガスから発生した気化ガスによる圧力上昇により自然に行うことができる。
【００１５】
上記方法において、本発明の好ましい実施形態によると、前記第２のステップにおいて、受入管へ供給し受入管を冷却保持した前記気化ガスを、受入管に連通したガス取出管によって、気化ガスの需要箇所へ導く。
【００１６】
このように、貯蔵タンクへの入熱により発生した気化ガスを用いて受入管を冷却保持し、さらにその後、この気化ガスを発電所などの所定の需要箇所へ送り込むので、気化ガスを有効利用することができる。
【００１７】
また、上記方法において、本発明の好ましい実施形態によると、前記受入管は、前記貯蔵タンクの気体部分に連通しており、前記ガス取出管は、前記受入管に連通するガス抜き管と、このガス抜き管と貯蔵タンクの気体部分とに連通し、さらに、前記液化ガス供給源から貯蔵タンクへ液化ガスを受入している時には、受入管又は貯蔵タンク内の気化ガスを液化ガス供給源へ戻す戻りガス管と、この戻りガス管に連通し、気化ガスをその需要箇所へ導くＢＯＧ管と、からなっており、受入管を冷却保持する前記ステップにおいて、気化ガスを、貯蔵タンクから、受入管、ガス抜き管、戻りガス管、ＢＯＧ管の順で流す。
【００１８】
このように、従来のＬＮＧ受入基地に設けられているガス抜き管、戻りガス管をそのまま利用して、気化ガスを、貯蔵タンクから、受入管、ガス抜き管、戻りガス管、ＢＯＧ管の順で流すことができる。
【００１９】
また、本発明によると、上記目的を達成するため、液化ガス供給源から貯蔵タンクへ液化ガスを受入する液化ガス受入管の冷却保持装置であって、液化ガス供給源から液化ガスを受け入れる受入管と、この受入管を通して液化ガスが液化ガス供給源から受入され、液化ガスを蓄える貯蔵タンクと、前記受入管から液化ガスを抜き取る液抜き装置と、を備え、液化ガス供給源から貯蔵タンクへの液化ガス受入が行われない期間において、貯蔵タンクへの入熱によって液化ガスから発生した気化ガスを、受入管へ供給できるように、前記受入管は、前記貯蔵タンクの気体部分に連通している、ことを特徴とする液化ガス受入管の冷却保持装置が提供される。
【００２０】
上記装置では、液化ガス供給源から貯蔵タンクへの液化ガスの受入が行われない期間において、液抜き装置により受入管に残っている液化ガスを抜き取り、その後、貯蔵タンクへの入熱によって液化ガスから発生した気化ガスを、受入管へ供給することで、受入管を冷却保持することができる。
特に、受入管は、前記貯蔵タンクの気体部分に連通しているので、貯蔵タンクへの入熱によって液化ガスから発生した気化ガスを、受入管へ直接供給することができる。
このように、貯蔵タンクへの入熱で自然に発生する気化ガスを受入管へ供給して受入管を冷却保持するので、受入管の冷却保持において無駄な気化ガスの発生を無くすことができる。
また、貯蔵タンクから受入管への気化ガスの供給は、貯蔵タンク内で液化ガスから気化ガスが発生することによる圧力上昇により自然に行うことができる。
【００２１】
上記装置において、本発明の好ましい実施形態によると、前記受入管に連通するガス抜き管と、このガス抜き管と貯蔵タンクの気体部分とに連通し、さらに、前記液化ガス供給源から貯蔵タンクへ液化ガスを受入している時には、受入管又は貯蔵タンク内の気化ガスを液化ガス供給源へ戻す戻りガス管と、この戻りガス管に連通し、気化ガスを前記需要箇所へ導くＢＯＧ管を備える。
【００２２】
従来のＬＮＧ受入基地に設けられているガス抜き管、戻りガス管をそのまま利用し、貯蔵タンクから、受入管、ガス抜き管、戻りガス管、ＢＯＧ管の順で、気化ガスを需要箇所に送る流路を形成できる。
【発明の効果】
【００２３】
上述した本発明によると、受入管の冷却保持において、無駄なＢＯＧの発生を無くし、受入管を冷却保持するための動力を大幅に低減することができる。  
【発明を実施するための最良の形態】
【００２４】
本発明の好ましい実施形態を図面に基づいて説明する。
【００２５】
図１は、本発明の実施形態による液化ガス受入管の冷却保持装置１０を備えたＬＮＧ受入基地の構成を示している。
まず、ＬＮＧ受入基地の各構成を説明し、その後、液化ガス受入管の冷却保持装置１０について説明する。
【００２６】
接岸したＬＮＧ船から貯蔵タンク２へＬＮＧを送り込むための構成として、ＬＮＧ船のタンクに接続されるローディングアーム３と、このローディングアーム３と貯蔵タンク２とを接続する受入管５と、が設けられる。
この構成により、ＬＮＧ船タンクからローディングアーム３と受入管５を通して、貯蔵タンク２へＬＮＧが送り込まれる。なお、液化ガスとしてのＬＮＧが蓄えられているＬＮＧ船タンクは、液化ガス供給源を構成するが、本発明はこれに限定されず、他の適切なもので液化ガス供給源を構成してもよい。この場合、液化ガス供給源から貯蔵タンク２へＬＮＧ以外の液化ガスが送り込まれてもよい。
【００２７】
貯蔵タンク２への入熱で発生したＢＯＧが、戻りガスブロア９の運転により、戻りガス管１１及び戻りガスアーム１３を通してＬＮＧ船タンクに戻される。
【００２８】
貯蔵タンク２からＢＯＧの需要箇所１９へＢＯＧを送るための構成として、戻りガス管１１に連通し貯蔵タンク２からのＢＯＧを取り出すためのＢＯＧ管２１と、ＢＯＧ管２１からＢＯＧが送り込まれ需要箇所１９まで延びるガス送給管２３と、が設けられる。需要箇所１９は発電所や都市ガス供給所などである。なお、需要箇所は、ＢＯＧ管２１に直接接続され、液化ガスの供給が必要とされるタンクなどであってもよい。
発電所や都市ガス供給所では、所定のガス圧が要求されるため、ＢＯＧ管２１がガス送給管２３に合流する前に、ＢＯＧ管２１に流れるＢＯＧを昇圧させておく。そのため、ＢＯＧ管２１の途中には、ＢＯＧを圧縮してガス送給管２３に送出するためのＢＯＧ圧縮機２５が設けられる。
図１の例では、ガス送給管２３には、気化器２９により貯蔵タンク２のＬＮＧを気化させたガスが送り込まれるようになっている。即ち、貯蔵タンク２からポンプ２７によりＬＮＧが、導出管２８を通して気化器２９に導出され、気化器２９で気化されガス送給管２３へ気化ガスとして送出されるようになっている。
【００２９】
上述の構成を有するＬＮＧ受入基地に備えられる、本発明の実施形態による液化ガス受入管の冷却保持装置１０について説明する。
この液化ガス受入管の冷却保持装置１０は、ＬＮＧ船タンクからＬＮＧを受け入れる受入管５と、この受入管５を通してＬＮＧがＬＮＧ船タンクから受入され、ＬＮＧを蓄える貯蔵タンク２と、受入管５からＬＮＧを抜き取る液抜き装置３１、３３と、を備える。
また、受入管５は、貯蔵タンク２の気体部分に連通している。
【００３０】
液抜き装置３１，３３は、図１に示すように、受入管５の途中に接続され貯蔵タンク２まで延びる液抜き管３１と、この液抜き管３１に設けられるポンプ３３と、により構成される。ＬＮＧ船タンクから貯蔵タンク２へのＬＮＧ受入が停止する期間において、このポンプ３３を作動させることで受入管５内に残っているＬＮＧが貯蔵タンク２へ送り込まれ、受入管５からＬＮＧを抜き取ることができる。
【００３１】
ガス取出管２２は、図１に示すように、受入管５に連通し、ＢＯＧを受入管５から取り出すために設けられる。
このガス取出管２２は、図１の例では、ガス抜き管７、８、戻りガス管１１およびＢＯＧ管２１により構成される。また、ガス抜き管７、８のうち、その両方又はいずれか一方をガス取出管２２の構成要素としてもよい。この場合には、ガス取出管２２の構成要素としないガス抜き管７又は８に設けられた開閉弁１４又は１５は閉じた状態とする。
図１の例では、ガス取出管２２に設けられたＢＯＧ圧縮機２５により、ガス取出管２２を流れるＢＯＧが圧縮されガス送給管２３に送出される。
【００３２】
また、好ましくは、液化ガス受入管の冷却保持装置１０は、受入管５の液面高さを検出する液面検出器３５、３６と、貯蔵タンク２と戻りガス管１１とを連通又は非連通状態とする開閉弁１７と、ＬＮＧ船タンクから貯蔵タンク２へのＬＮＧ受入が停止する期間において、液面検出器３５、３６から信号を受け、この信号に基づいて、受入管５に残っているＬＮＧが液抜き装置３１，３３により抜き取られたと判断した時に、開閉弁１７を閉じる制御を行う制御装置３０と、をさらに備える。
液面検出器３５、３６は、上述の液抜き装置３１，３３による液抜きが完了したかどうかを判断するために、受入管５の液面の高さを検知する差圧計３５、３６であってよい。これら差圧計３５，３６は、受入管５における複数の適切な低位置に設けられる。例えば、受入管５と液抜き管３１の接続箇所付近と、受入管５の立ち上がり部に、それぞれ差圧計３５，３６を設けられる。なお、他の適切なもので、液面検出器を構成してもよい。
【００３３】
次に、上述した液化ガス受入管の冷却保持装置１０を用いた液化ガス受入管の冷却保持方法を図２に基づいて説明する。
【００３４】
まず、ステップＳ１で、ＬＮＧ船タンクから貯蔵タンク２へのＬＮＧの受入が停止されると、ステップＳ２において、ポンプ３３を作動させて、受入管５内のＬＮＧを貯蔵タンク２へ送り込んで、受入管５からＬＮＧを抜き取る。
【００３５】
続いて、ステップＳ３において、ＬＮＧの抜き取りが完了したかどうかを判断する。この判断は、差圧計３５，３６が検出した差圧に基づいて、液面の高さを算出することができる。即ち、制御装置３０が、差圧計３５，３６からの差圧検出値を示す信号を受け、これらの信号に基づいて、差圧計３５，３６が設けられた各位置における受入管５内の液面の高さを算出することができる。そして、制御装置３０は、例えば、算出された液面高さが、ほぼゼロとなった時に、液抜きが完了したと判断することができる。
なお、差圧計３５，３６が、検出した差圧に基づいて液面の高さを算出し、その算出結果を制御装置３０に出力するように構成してもよい。この場合、制御装置３０は、差圧計３５，３６から液面高さの算出値を示す信号を受け、これらの信号に基づいて、液抜きが完了したかどうかを判断してもよい。
【００３６】
ステップＳ３において、受入管５からのＬＮＧの抜き取りが完了したと判断したら、ステップＳ４へ進む。ステップＳ４において、次のように受入管５が冷却保持される。
即ち、制御装置３０は、差圧計３５，３６からの信号に基づいて、液抜きが完了したと判断した時に、開閉弁１７を閉じる制御を行い、貯蔵タンク２と戻りガス管１１とを非連通状態とする。これにより、貯蔵タンク２から、受入管５、ガス抜き管７，８、戻りガス管１１、ＢＯＧ管２１の順でＢＯＧの流路が形成される。
【００３７】
より詳しく述べると、この場合、貯蔵タンク２への入熱により、貯蔵タンク２内ではＬＮＧの蒸発によりＢＯＧが随時発生し、これにより、貯蔵タンク２内の圧力が上昇する。受入管５は、貯蔵タンク２の気体部分に連通しているので、貯蔵タンク２内の自然昇圧により、貯蔵タンク２からＢＯＧが受入管５へ流通し、さらに、ガス抜き管７，８、戻りガス管１１、ＢＯＧ管２１の順でＢＯＧが流れる。この時、開閉弁１６、１８は開いた状態とし、開閉弁１７は閉じた状態とされ、液抜き管３１に設けられた開閉弁（図示せず）も閉じた状態とされる。
図１の例では、ガス抜き管７，８、戻りガス管１１およびＢＯＧ管２１からなるガス取出管２２により取り出されたＢＯＧは、ＢＯＧ圧縮機２５へ送り込まれ、ＢＯＧ圧縮機２５により圧縮されてガス送給管２３に送出される。そして、このガス送給管２３を通してＢＯＧが需要箇所１９へ供給される。
【００３８】
なお、ステップＳ４において、図１の開閉弁１５を閉じ、開閉弁１４を開けておくことで、受入管５全体を通過するようにＢＯＧを流すことができる。
受入管５の全長が長い場合には、受入管５における貯蔵タンク２側の部分を、重点的に冷却保持するために、ステップＳ４において、開閉弁１５を開け、開閉弁１４を閉じておいてもよい。この場合、受入管５において、貯蔵タンク２から受入管５へのＢＯＧは、分岐点Ａを通り、開閉弁１５を通過してＢＯＧ圧縮機２５へ至り、ガス送給管２３へ送り込まれる。
このような開閉弁１４、１５の開閉制御は、制御装置３０により行うことができる。即ち、制御装置３０は、ステップＳ３において受入管５の液抜きが完了した判断した時に、開閉弁１４、１５の開閉制御を行う。
【００３９】
このようにして、ステップＳ４において、貯蔵タンク２内で発生した低温のＢＯＧが、受入管５に流通することで、受入管５が冷却保持される。
【００４０】
上述した本発明の実施形態による液化ガス受入管の冷却保持方法および装置によると、ＬＮＧ船タンクから貯蔵タンク２へのＬＮＧ受入が停止する期間において、液抜き装置３１，３３により受入管５に残っているＬＮＧを抜き取り、その後、貯蔵タンク２への入熱によってＬＮＧから発生したＢＯＧを、受入管５へ供給することで、受入管５を冷却保持することができる。
また、受入管５は、貯蔵タンク２の気体部分に連通しているので、貯蔵タンク２への入熱によって、ＬＮＧからＢＯＧが発生し、これにより、貯蔵タンク２内の圧力が上昇するので、このＢＯＧが自然に受入管５へ流れる。
このように、貯蔵タンク２への入熱で発生するＢＯＧを受入管５へ供給して受入管５を冷却保持するので、受入管５の冷却保持において無駄な気化ガスの発生を無くすことができる。
【００４１】
なお、本発明は上述した実施の形態に限定されず、本発明の要旨を逸脱しない範囲で種々変更を加え得ることは勿論である。
【図面の簡単な説明】
【００４２】
【図１】本発明の実施形態による液化ガス受入管の冷却保持装置を示す図である。
【図２】本発明の実施形態による液化ガス受入管の冷却保持方法を示すフローチャートである。
【図３】ＬＮＧ受入基地の概略構成を示す図である。
【図４】ＬＮＧ受入基地における受入管の冷却保持に使用される強制循環冷却方式の説明図である。
【図５】ＬＮＧ受入基地における受入管の冷却保持に使用される加圧注入冷却保持方式の説明図である。
【符号の説明】
【００４３】
２  貯蔵タンク
３  ローディングアーム
５  受入管
７、８  ガス抜き管
９  戻りガスブロア
１０  液化ガス受入管の冷却保持装置
１１  戻りガス管
１３  戻りガスアーム
１４、１５、１６、１７、１８  開閉弁
１９  需要箇所
２１  ＢＯＧ管
２２  ガス取出管
２３  ガス送給管
２５  ＢＯＧ圧縮機
２７  ポンプ
２８  導出管
２９  気化器
３０  制御装置
３１  液抜き管（液抜き装置）
３３  ポンプ（液抜き装置）
３５、３６  差圧計（液面検出器）
【図１】
2007298052.tif 000003
【図２】
2007298052.tif 000004
【図３】
2007298052.tif 000005
【図４】
2007298052.tif 000006
【図５】
2007298052.tif 000007